(57)【要約】【課題】照光範囲の調整が容易な投光器を提供する。【解決手段】投光器１０は、光源Ｌが収納された筐体部２０と、筐体部２０の開口部２１ａに装着された光透過性を有する前面カバー部３０と、光源からの光を前方へ反射する反射部４０と、前面カバー部３０に覆われた筐体部２０に内蔵され、光源Ｌからの光を遮蔽する羽根板５１の角度が可変する開度調整部５２を有するルーバ５０とを備えている。羽根板５１は、反射部４０の照光側の開口より幅広く形成され、反射部４０の前側に配置されている。この羽根板５１は、反射部４０の開口の上半分を遮蔽する。開度調整部５２は、筐体部２０を貫通して外部へ突出させた調整棒５２ａの進退に伴って複数の羽根板５１を回動する。【選択図】図１
0003187120.tif 000002
【実用新案登録請求の範囲】
【請求項１】
光源が収納された筐体部と、
前記筐体部の開口部に装着された光透過性を有する前面カバー部と、
前記前面カバー部に覆われた前記筐体部に内蔵され、前記光源からの光を遮蔽する羽根板の角度が可変する開度調整部を有するルーバとを備えたことを特徴とする投光器。
【請求項２】
前記筐体部に、前記光源からの光を前方へ反射する反射部が設けられ、
前記ルーバは、前記反射部の照光側の開口より幅が広い複数の羽根板が、前記反射部の前側に設置されたものである請求項１記載の投光器。
【請求項３】
前記筐体部を開口部側から見て、前記光源が前記筐体部の中心位置に配置され、
前記ルーバは、前記反射部の開口の上半分を遮蔽する請求項２記載の投光器。
【請求項４】
前記開度調整部は、前記筐体部を貫通して外部へ突出させた調整棒の進退に伴って前記複数の羽根板を回動させるものである請求項１から３のいずれかの項に記載の投光器。
【請求項５】
前記ルーバは、前記複数の羽根板が２グループ以上に分けられて角度が可変する請求項１から４のいずれかの項に記載の投光器。
【考案の詳細な説明】
【技術分野】
【０００１】
本考案は、遠方を照光する投光器に関するものである。
【背景技術】
【０００２】
投光器は、遠方を照光するために、光源として、高輝度なものが使用される。例えば、水銀灯が使用されたり、ナトリウム灯が使用されたりしている。また、高輝度化が図られることにより、光源としてＬＥＤ素子が使用されるようになってきている。
このような投光器に配光を制御するためのルーバを備えたものが知られている（例えば、特許文献１，２参照。）。
【０００３】
特許文献１に記載のスポーツ照明器具は、細長い裸発光管高輝度放電灯が、頂点付近に配置された放物形状のリフレクタ部材と、リフレクタの開口端に嵌められた光透過性カバーと、リフレクタ内に配置することにより、高角度の光出力の方向を、競技面レベルで一層有用な低角度に転換することができるルーバとを備え、放電灯をリフレクタ内で適切に配向および位置決めすることにより、ほぼ長円形の光パターンを発生し、スポーツフィールドの競技面に投射したとき、長円形光パターンが、競技フィールドレベルで多数の光出力を一層均一にかつ効率よくオーバーラップさせることのできるほぼ円形のパターンとなるものである。
【０００４】
特許文献２に記載のルーバ内蔵投光器は、略円錐コーン状の主反射鏡と、主反射鏡の底開口部に略同心状態で挿入されたランプと、この主反射鏡の内部に、ランプの光の拡散を規制する円弧状若しくはリング状のルーバと、ランプの光の一部を反射させて投光開口から略平行光として投光可能な円弧状若しくはリング状の副反射鏡とを備えたものである。
【先行技術文献】
【特許文献】
【０００５】
【特許文献１】特開平７−１４１９０３号公報
【特許文献２】特開２００９−１２９７５１号公報
【考案の概要】
【考案が解決しようとする課題】
【０００６】
特許文献２に記載のルーバ内蔵投光器では、ルーバの前方にカバーが設けられていないため、例えば、高所に設置される場合には、ルーバが風の影響を受けてしまい、強風時には撓む可能性がある。この点、特許文献１に記載のスポーツ照明器具は、屋外の高所が設置場所として想定されているため、リフレクタの開口端に光透過性カバーが嵌められているため、ルーバが風の影響を受けることがない。
【０００７】
しかし、特許文献１に記載のスポーツ照明器具は、ルーバがなければ中心軸線に対して大きな上向き角度でリフレクタの開口端から出てゆく光出力を、リフレクタ部材内に配置されたルーバにより、もっと低い角度に方向転換させるために、ルーバが前方に向けてそれぞれが平行に配置されている。従って、光源から直進する光は前方に向かってまっすぐ照射されてしまう。また、特許文献２に記載のルーバ内蔵投光器においても、ルーバが前方に向けてそれぞれが平行に配置されているため、同様である。
【０００８】
例えば、岸壁に停泊した荷物を運搬する船舶から、荷物を降ろしたり、荷物を積み込んだりする作業場を照光するような場合、作業場は明るく照光するのが望ましいが、岸壁に接岸する船舶の操舵手や船員を照光してしまうと、眩しさから接岸作業に支障が生じる。
特許文献１，２に記載の従来の投光器では、光源から直進する光は前方に向かってまっすぐ照射するので、作業場は照光し、更に遠方の船舶を照光しないようするためには、従来の投光器を極度に下方に近い方向に向ける必要があり、作業場を明るく照光することが難しくなる。
【０００９】
そこで本考案は、照光範囲の調整が容易な投光器を提供することを目的とする。
【課題を解決するための手段】
【００１０】
本考案の投光器は、光源が収納された筐体部と、前記筐体部の開口部に装着された光透過性を有する前面カバー部と、前記前面カバー部に覆われた前記筐体部に内蔵され、前記光源からの光を遮蔽する羽根板の角度が可変する開度調整部を有するルーバとを備えたことを特徴とする。
【００１１】
本考案によれば、ルーバが前面カバー部に覆われた筐体部に内蔵されているため、屋外の高所に設置されていても、風雨による影響をルーバが受けることを回避することができる。そして、このルーバは、光源からの光を遮蔽する羽根板の角度が、開度調整部により変更できるため、光軸に対して直交する方向にすれば、光源からの光を遮蔽することができ、光軸と平行にすれば前方に向かう光はそのままに、光軸と傾斜した方向であれば反射させて、照光に制限を加えることができる。
【００１２】
前記筐体部に、前記光源からの光を前方へ反射する反射部が設けられ、前記ルーバは、前記反射部の照光側の開口より幅が広い複数の羽根板が、前記反射部の前側に設置されたものであるのが望ましい。反射部が前面カバー部に覆われた筐体部に内蔵され、ルーバも筐体部に内蔵されていても、反射部の前側に設置された複数の羽根板が、反射部の開口より幅が広く形成されていることで、角度が可変する羽根板の縁部と反射部との間に隙間ができることが防止できるので、しっかりと、光源からの光を遮蔽したり、照光に制限を加えたりすることができる。
【００１３】
前記筐体部を開口部側から見て、前記光源が前記筐体部の中心位置に配置され、前記ルーバは、前記反射部の開口の上半分を遮蔽すると、ルーバが無い場合の照光範囲の上半分を遮蔽することができ、反射部の開口の下半分は照光範囲とすることができることで、遮光範囲の境界を横方向に幅広く確保することができる。
【００１４】
前記開度調整部は、前記筐体を貫通して外部へ突出させた調整棒の進退に伴って前記複数の羽根板を回動させるものであるのが望ましい。このように構成することで、外部からルーバの羽根板の角度を調整することができる。
【００１５】
前記ルーバは、前記複数の羽根板が２グループ以上に分けられて角度が可変すると、１つは遮蔽状態、他は傾斜状態とするなど、細かな配光の制御が可能である。
【考案の効果】
【００１６】
本考案によれば、光源からの光を遮蔽する羽根板の角度が、開度調整部により変更できるため、光軸に対して直交する方向にすれば、光源からの光を遮蔽することができ、光軸と平行にすれば前方に向かう光はそのままに、光軸と傾斜した方向であれば反射させて、照光に制限を加えることができる。従って、本考案は、照光範囲の調整が容易である。
【図面の簡単な説明】
【００１７】
【図１】本考案の実施の形態１に係る投光器の側方から見た断面図である。
【図２】図１に示す投光器の正面図である。
【図３】図１に示す投光器の背面図である。
【図４】図１に示す投光器で羽根板が遮蔽状態のときの断面図である。
【図５】図４に示す投光器の正面図である。
【図６】図５に示す投光器で羽根板を透過した正面図である。
【図７】本考案の実施の形態２に係る投光器の側方から見た断面図である。
【図８】図７に示す投光器で羽根板を透過した正面図である。
【考案を実施するための形態】
【００１８】
（実施の形態１）
本考案の実施の形態１に係る投光器を図面に基づいて説明する。なお、本明細書では、投光器から光が出射する方向を前、その反対を後ろと称す。
図１から図３に示すように投光器１０は、遠方を照光するもので、夜間に行われる、岸壁に停泊した荷物を運搬する船舶から、荷物を降ろしたり、荷物を積み込んだりする作業場を照光するものである。本実施の形態の投光器１０は、ナトリウム灯が光源Ｌとして実装されているが、光源Ｌは水銀灯やＬＥＤ灯でも使用できる。
投光器１０は、筐体部２０と、前面カバー部３０と、反射部４０と、ルーバ５０と、ソケット保持部６０と、脚部７０とを備えている。
【００１９】
筐体部２０は、反射部４０を収納するケーシング部２１と、光源ＬのソケットＳが配置される後部カバー部２２とを備えている。
ケーシング部２１は、後端（基端）から前端（先端）に向かって開口が徐々に拡がる漏斗状に形成されている。ケーシング部２１の前側の開口部２１ａに、前面カバー部３０を装着するための留め具２１ｂが９０°ごとに４箇所に配置されている。ケーシング部２１の上部には、貫通孔２１ｃが穿孔されている。
後部カバー部２２は、後端（基端）の開口にソケットＳが取り付けられた円形板２２ａがねじ止めされている。後部カバー部２２は、前端（先端）の開口に、ケーシング部２１の基端が取り付けられている。
【００２０】
前面カバー部３０は、光透過性を有する樹脂板材により形成され、筐体部２０の開口部に合わせて円形状に形成されている。前面カバー部３０は、例えば、強化ガラスとすることができる。また、前面カバー部３０は、ポリカーボネートなどの樹脂材とすることもできる。
反射部４０は、前面カバー部３０に覆われた筐体部２０に内蔵されている。反射部４０は、前方から見て光源Ｌを中心に、後端（基端）から前端（先端）に向かって開口が徐々に拡がる漏斗状に形成されている。反射部４０は、金属光沢による反射面が形成されている。反射部４０の上部には、貫通孔４０ａが穿孔されている。
【００２１】
ルーバ５０は、複数枚の羽根板５１と、羽根板５１の傾斜角度を調整する開度調整部５２とを備えている。
羽根板５１は、反射部４０の照光側の開口より幅広く形成され、反射部４０の前側に配置されている。羽根板５１は、反射部４０の開口中央から上端に向かって徐々に長さが短くなるように形成されている。本実施の形態では、羽根板５１が５枚の黒色の金属板により形成されている。羽根板５１は、両端部の軸部５１ａが反射部４０に回動自在に取り付けられている。
開度調整部５２は、ケーシング部２１の貫通孔２１ｃおよび反射部４０の貫通孔４０ａを貫通して配置された調整棒５２ａと、それぞれの羽根板５１を回動自在に連結する連結部材５２ｂと、調整棒５２ａの進退により連結部材５２ｂを押したり引いたりして、羽根板５１の軸部５１ａを中心として羽根板５１を回動させるリンク部材５２ｃとを備えている。
図１および図２に示す状態では、羽根板５１は、斜め下方に向かって４５°の角度に傾斜した状態である。
【００２２】
ソケット保持部６０は、光源Ｌであるナトリウム灯を装着するためのソケットＳを保持する共に、ケーブルからの電源線をソケットＳに接続する。
脚部７０は、投光器１０を支柱の高位置に取り付けるための取付部材である。
【００２３】
以上のように構成された本考案の実施の形態に係る投光器１０の使用状態を図面に基づいて説明する。
図１から図３に示すように、ルーバ５０を閉鎖状態（羽根板５１と光源Ｌの光軸とのなす角度が直角となる状態）とするときには、使用者は、調整棒５２ａを後退する方向に回転させる。調整棒５２ａが後退することで、リンク部材５２ｃの下端が引き上げられることで、連結部材５２ｂが引き上げられる。
連結部材５２ｂの羽根板５１への取り付け位置が、羽根板５１の軸部５１ａの取り付け位置より下方に位置しているため、連結部材５２ｂが引き上げられることで、羽根板５１が下方へ引き込まれ、羽根板５１が軸部５１ａを中心として、先端部が閉じる方向へ回動する。
使用者が、羽根板５１が閉じるまで、調整棒５２ａを回転することで、図４から図６に示すように、反射部４０の開口の上半分は遮蔽された状態となる。
【００２４】
ルーバ５０を開放状態（羽根板５１と光源Ｌの光軸とが平行となる状態）とするときには、ルーバ５０を閉鎖状態とする操作と反対の調整棒５２ａを押し込む方向へ回転させて、調整棒５２ａを前進させる操作で、羽根板５１を全開の状態とすることができる。
【００２５】
このように調整棒５２ａを回転させることにより、ルーバ５０の羽根板５１を閉鎖状態としたり、開放状態としたり、または所定の角度としたりすることができるので、照光するときの条件に合わせて照光する範囲を調整することができる。
【００２６】
本実施の形態の投光器１０によれば、ルーバ５０が前面カバー部３０に覆われた筐体部２０のケーシング部２１に内蔵されているため、屋外の高所に設置されていても、風雨による影響をルーバ５０が受けることを回避することができる。
また、このルーバ５０は、光源Ｌからの光を遮蔽する角度が変更できるため、光軸に対して直交する方向にすれば、光源Ｌからの光を遮蔽することができ、光軸と平行にすれば前方に向かう光はそのままに、光軸と傾斜した方向であれば反射させて、照光に制限を加えることができる。
【００２７】
筐体部２０を開口部側から見て、光源Ｌが筐体部２０の中心位置に配置されており、ルーバ５０が、反射部４０の開口部の上半分を遮蔽しているため、ルーバ５０が無い場合の照光範囲の上半分を遮蔽することができる。従って、反射部４０の開口部の下半分は照光範囲とすることができ、上半分は遮蔽範囲とすることができることで、その境界は筐体部２０の開口の直径とすることができるので、遮光範囲の境界を横方向に幅広く確保することができる。
【００２８】
このルーバ５０が、反射部４０と共に、筐体部２０のケーシング部２１に内蔵されていても、反射部４０の前側に設置されたルーバ５０の複数の羽根板５１が、反射部４０の開口より幅が広く形成されている。従って、図４に示すように、角度が可変する羽根板５１の縁部と反射部４０の開口との間に隙間ができることが防止できるので、しっかりと、光源Ｌからの光を遮蔽したり、照光に制限を加えたりすることができる。
【００２９】
ルーバ５０は、筐体部２０を貫通して外部へ突出させた調整棒５２ａの進退に伴って複数の羽根板５１を回動させているので、筐体部２０の外部からルーバ５０の羽根板５１の角度を調整することができる。
【００３０】
（実施の形態２）
本考案の実施の形態２に係る投光器を図面に基づいて説明する。
本実施の形態２に係る投光器は、複数の羽根板が２グループ以上に分けられて角度が可変することを特徴とするものである。なお、図７および図８においては、図１および図６と同じ構成のものは同符号を付して説明を省略する。
【００３１】
図７および図８に示すように、本実施の形態２に係る投光器１０ｘでは、５枚の羽根板５１を、２枚の羽根板５１１〜５１２と、３枚の羽根板５１３〜５１５との２グループに分けて、角度が変更できるようにしている。
羽根板５１１〜５１２は第１開度調整部５２１により角度が変更でき、羽根板５１３〜５１５は第１開度調整部５２１により角度が変更できる。
第１開度調整部５２１および第２開度調整部５２２は、実施の形態１に係る開度調整部５２と同様の構成である。
第１開度調整部５２１および第２開度調整部５２２は、ケーシング部２１の貫通孔２１ｄ，２１ｅおよび反射部４０の貫通孔４０ｂ，４０ｃを貫通して配置された調整棒５２１ａ，５２２ａと、それぞれの羽根板５１を回動自在に連結する連結部材５２１ｂ，５２２ｂと、調整棒５２１ａ，５２２ａの進退により連結部材５２１ｂ，５２２ｂを押したり引いたりして、羽根板５１の軸部５１ａを中心として羽根板５１を回動させるリンク部材５２１ｃ，５２２ｃとを、それぞれが備えている。
【００３２】
第１開度調整部５２１と第２開度調整部５２２とは、調整棒５２１ａ，５２２ａが外部から反射部４０内へ抜けるための貫通孔２１ｄ，２１ｅおよび貫通孔４０ｂ，４０ｃが、前後および左右にずれた位置に形成されている。
詳しくは、５枚の羽根板５１１〜５１５のうち、２枚の羽根板５１１〜５１２を操作する調整棒５２１ａのための貫通孔（筐体部２０の貫通孔２１ｄおよび反射部４０の貫通孔４０ｂ）は、調整棒５２２ａより前側で右側に形成されている。また、３枚の羽根板５１３〜５１５を操作する調整棒５２２ａのための貫通孔（筐体部２０の貫通孔２１ｅおよび反射部４０の貫通孔４０ｃ）は、調整棒５２１ａより後側で左側に形成されている。
【００３３】
また、調整棒５２１ａと調整棒５２２ａとの貫通位置に対応して、羽根板５１への連結部材５２１ｂ，５２２ｂの取り付け位置は、連結部材５２１ｂが右側、連結部材５２２ｂが左側にずれた位置としている。
【００３４】
このように、複数の羽根板５１を複数のグループに分けて開度が調整できるよう、第１開度調整部５２１と第２開度調整部５２２とを備えることで、１つは遮蔽状態、他は傾斜状態とするなど、細かな配光の制御が可能である。
【００３５】
また、調整棒５２１ａと調整棒５２２ａとが、前後位置、左右位置のずれた位置に配置され、調整棒５２１ａと調整棒５２２ａとの貫通位置に対応して、羽根板５１への連結部材５２１ｂ，５２２ｂが、ずれた位置に配置されていることで、羽根板５１の開閉を行うために、連結部材５２１ｂ，５２２ｂが、互いに干渉せずに、上下に移動することができる。
【産業上の利用可能性】
【００３６】
本考案は、遠方を照光する投光器に好適であり、特に、眩しさを軽減することができるので、作業場を照光する投光器に最適である。
【符号の説明】
【００３７】
１０，１０ｘ  投光器
２０  筐体部
２１  ケーシング部
２１ａ  開口部
２１ｂ  留め具
２１ｃ  貫通孔
２１ｄ，２１ｅ  貫通孔
２２  後部カバー部
２２ａ  円形板
３０  前面カバー部
４０  反射部
４０ａ  貫通孔
４０ｂ，４０ｃ  貫通孔
５０  ルーバ
５１  羽根板
５１１〜５１５  羽根板
５１ａ  軸部
５２  開度調整部
５２ａ  調整棒
５２ｂ  連結部材
５２ｃ  リンク部材
５２１  第１開度調整部
５２１ａ  調整棒
５２１ｂ  連結部材
５２１ｃ  リンク部材
５２２  第２開度調整部
５２２ａ  調整棒
５２２ｂ  連結部材
５２２ｃ  リンク部材
６０  ソケット保持部
７０  脚部
Ｓ  ソケット
Ｌ  光源
【図１】
0003187120.tif 000003
【図２】
0003187120.tif 000004
【図３】
0003187120.tif 000005
【図４】
0003187120.tif 000006
【図５】
0003187120.tif 000007
【図６】
0003187120.tif 000008
【図７】
0003187120.tif 000009
【図８】
0003187120.tif 000010